(57)【要約】【課題】戸車の上下設定位置にかかわらず戸車装置内にゴミが溜まることを有効に防止できる戸車装置を提供する。【解決手段】戸体３０の下端部に固定する下方に開口せる外枠体２と、外枠体２の内部に上下位置可変手段６を介して取り付けた内枠体３と、内枠体３に枢支されてその下端を外枠体２の下方開口２ａから突出させた戸車４とを備えた戸車装置１である。戸車４に付着したゴミを掻き取るためのゴミ掻き取り部材５を内枠体３に装着する。ゴミ掻き取り部材５の一端を戸車４の下部の外周面４ａに微小な間隙ｓを介して隣接させる。【選択図】図１
2008291573.tif 000002
【特許請求の範囲】
【請求項１】
戸体の下端部に固定する下方に開口せる外枠体と、外枠体の内部に上下位置可変手段を介して取り付けた内枠体と、内枠体に枢支されてその下端を外枠体の下方開口から突出させた戸車とを備えた戸車装置であって、戸車に付着したゴミを掻き取るためのゴミ掻き取り部材を内枠体に装着し、このゴミ掻き取り部材の一端を戸車の下部の外周面に微小な間隙を介して隣接させたことを特徴とする戸車装置。
【請求項２】
上記ゴミ掻き取り部材を、戸車の下部の外周面に隣接する一端側が下方に位置するように傾けて配置したことを特徴とする請求項１記載の戸車装置。
【請求項３】
上下位置可変手段に内枠体の一端と外枠体の一端とを枢支させる枢支軸を備え、上記内枠体の一端と反対側である内枠体の他端部に戸車を装着し、この戸車の外周面を上記外枠体の一端と反対側の外枠体の他端部における下方開口縁に近接させたことを特徴とする請求項１又は２記載の戸車装置。
【請求項４】
上下位置可変手段に内枠体の一端と外枠体の一端とを枢支させる枢支軸を備え、上記内枠体の一端と反対側である内枠体の他端部に戸車を装着し、上記外枠体及び内枠体の一端側を戸体の側端側に位置させる側端側構成部とし、内枠体の一端側からゴミ掻き取り部材を連続させてその一端を戸車の下部の外周面に微小な間隙を介して隣接させたことを特徴とする請求項１乃至３のいずれか一項に記載の戸車装置。
【請求項５】
上下位置可変手段に内枠体の一端と外枠体の一端とを枢支させる枢支軸を備え、上記内枠体の一端と反対側である内枠体の他端部に戸車を装着し、上記外枠体の一端側の外端面を、戸車装置を取り付けた戸体の側端面の下部を構成する戸体側端構成面としたことを特徴とする請求項１乃至４のいずれか一項に記載の戸車装置。
【発明の詳細な説明】
【技術分野】
【０００１】
本発明は、戸車装置に関するものである。
【背景技術】
【０００２】
従来から、引戸の戸体の下端部に取り付ける戸車装置にあっては、装置主体を構成する下方に開口した枠体に戸車を回転自在且つ上下位置可変に配置し、この戸車を枠体の下方開口から下方に突出させて引戸の設置面（床面や開口枠）に走行させている（たとえば特許文献１参照）。
【０００３】
しかしながら、このような戸車装置にあっては、引戸の設置面に溜まった埃やゴミを転動する戸車が巻き込んで枠体の下方開口から戸車装置内に溜め込み易いという問題が指摘されている。殊に、戸車の高さ位置の設定条件によっては枠体の下方開口が大きく開く場合もあり、このような場合には上記問題が特に生じ易いものであった。
【特許文献１】特許第３８９３５１７号公報
【発明の開示】
【発明が解決しようとする課題】
【０００４】
本発明は上記の点に鑑みてなされたものであり、その目的とするところは、戸車の上下設定位置にかかわらず戸車装置内にゴミが溜まることを有効に防止できる戸車装置を提供することを課題とするものである。
【課題を解決するための手段】
【０００５】
上記課題を解決するために請求項１に係る戸車装置にあっては、戸体３０の下端部に固定する下方に開口せる外枠体２と、外枠体２の内部に上下位置可変手段６を介して取り付けた内枠体３と、内枠体３に枢支されてその下端を外枠体２の下方開口２ａから突出させた戸車４とを備えた戸車装置１であって、戸車４に付着したゴミを掻き取るためのゴミ掻き取り部材５を内枠体３に装着し、このゴミ掻き取り部材５の一端を戸車４の下部の外周面４ａに微小な間隙ｓを介して隣接させたことを特徴とする。
【０００６】
これによると、戸体３０の設置面に戸車４が転動した際に設置面に溜まった埃やゴミを転動する戸車４が巻き込んでしまっても、内枠体３に装着したゴミ掻き取り部材５によって転動する戸車４に付着したゴミを掻き取ることができる。ここで、ゴミ掻き取り部材５は戸車４と同様に内枠体３に装着されているので、戸車４の上下位置を変化させるべく上下位置可変手段６によって内枠体３の上下位置を設定変更した際にも戸車４と一緒にその上下位置を変化させるのであり、つまり戸車４とゴミ掻き取り部材５との相対位置は変化することが無く、戸車４の上下位置にかかわらずゴミ掻き取り部材５による戸車４に付着したゴミの掻き取り性能を維持することができる。また、ゴミ掻き取り部材５は、その一端を戸車４の下部の外周面４ａに微小な間隙ｓを介して隣接させているので、外枠体２の下方開口２ａ付近で戸車４の回転を妨げずに戸車４からゴミを掻き取ることができる。すなわち、このゴミ掻き取り部材５によると戸車４の上下設定位置にかかわらず戸車４に付着したゴミを外枠体２の下方開口２ａ付近で掻き取ることができて、戸車装置１内にゴミが溜まることを有効に防止することができる。
【０００７】
また、請求項２に係る戸車装置にあっては、請求項１において、上記ゴミ掻き取り部材５を、戸車４の下部の外周面４ａに隣接する一端側が下方に位置するように傾けて配置したことを特徴とする。
【０００８】
これによると、ゴミ掻き取り部材５の一端で行う戸車４に付着したゴミの掻き取りは、ゴミ掻き取り部材５の一端における戸車４の正逆の回転方向に各々臨む両縁部分でそれぞれ行われるのであるが、たとえゴミ掻き取り部材５の一端における装置１内部側の縁部分でゴミが掻き取られても、上記のようにゴミ掻き取り部材５は戸車４の下部の外周面４ａに隣接する一端側が下方に位置するように傾けて配置されたので、戸車４から剥がされたゴミは自重でゴミ掻き取り部材５の一端側に移動し、戸車４の下部の外周面４ａとの微小な間隙ｓから装置１の外方に落下させることができるのであり、すなわち、ゴミが装置１内部に集積する恐れを低減できる。
【０００９】
また、請求項３に係る戸車装置にあっては、請求項１又は２において、上下位置可変手段６に外枠体２の一端と内枠体３の一端とを枢支させる枢支軸１３を備え、上記内枠体３の一端と反対側である内枠体３の他端部に戸車４を装着し、この戸車４の外周面４ａを上記外枠体２の一端と反対側の外枠体２の他端部における下方開口２ａ縁に近接させたことを特徴とする。
【００１０】
これによると、上下位置可変手段６に外枠体２の一端と内枠体３の一端とを枢支させる枢支軸１３を備えたので、外枠体２に対して内枠体３を上下動させるには内枠体３を枢支軸１３を中心に回転させて行わせるようにでき、そして、上記内枠体３の一端と反対側である内枠体３の他端部に戸車４を装着したので、戸車４と枢支軸１３との距離を大きく採って上下する戸車４の回転軌跡径を大きく採ることができるから、上記外枠体２の一端と他端とを結ぶ方向への位置ズレを少なくして戸車４を上下させることができ、ここで、この戸車４はその外周面４ａを上記外枠体２の一端と反対側の外枠体２の他端部における下方開口２ａ縁に近接させたので、戸車４が上下した際に外枠体２の他端部における下方開口２ａ縁と戸車４との隙間の大小変化を小さくできて、外枠体２の他端部における下方開口２ａを継続して略塞ぎつつ上下する戸車４を位置させることができるのであり、外枠体２の下方開口２ａからゴミが装置１内部に浸入する恐れを極力小さくできる。
【００１１】
また、請求項４に係る戸車装置にあっては、請求項１乃至３のいずれか一項において、上下位置可変手段６に外枠体２の一端と内枠体３の一端とを枢支させる枢支軸１３を備え、上記内枠体３の一端と反対側である内枠体３の他端部に戸車４を装着し、上記外枠体２及び内枠体３の一端側を戸体３０の側端側に位置させる側端側構成部１ａとし、内枠体２の一端側からゴミ掻き取り部材５を連続させてその一端を戸車４の下部の外周面４ａに微小な間隙ｓを介して隣接させたことを特徴とする。
【００１２】
これによると、戸車装置１を取り付けた戸体３０をその側端側構成部１ａが位置する側端側に向けて移動させた際には、戸車４の移動方向手前側にゴミ掻き取り部材５が位置することとなるが、このゴミ掻き取り部材５は上記のように内枠体２の一端側から連続させてその一端を戸車４の下部の外周面４ａに微小な間隙ｓを介して隣接させており、つまりゴミ掻き取り部材５で外枠材２の下方開口２ａのうち戸車４の移動方向手前側の部位を略塞ぐようにできたため、外枠材２の下方開口２ａからゴミが装置１内部に浸入する恐れを効果的に小さくできるのである。更に言うと、戸車装置１を取り付けた戸体３０を上記側端側構成部１ａが位置する側端側と反対に向けて移動させた際には、戸車４の下部の外周面４ａに微小な間隙ｓを介して一端が隣接するゴミ掻き取り部材５によって戸車４に付着したゴミを効果的に掻き取ることができる。
【００１３】
また、請求項５に係る戸車装置にあっては、請求項１乃至４のいずれか一項において、上下位置可変手段６に外枠体２の一端と内枠体３の一端を枢支させる枢支軸１３を備え、上記内枠体３の一端と反対側である内枠体３の他端部に戸車４を装着し、上記外枠体２の一端側の外端面２ｃを、戸車装置１を取り付けた戸体３０の側端面３１の下部を構成する戸体側端構成面２６としたことを特徴とする。
【００１４】
これによると、上下位置可変手段６に外枠体２の一端と内枠体３の一端を枢支させる枢支軸１３を備え、上記内枠体３の一端と反対側である内枠体３の他端部に戸車４を装着したので、上記外枠体２の一端側の内部部位は比較的大きい構成物である戸車４が位置する他端側に比べて空隙の多い空間にすることができ、この外枠体２の一端側の内部空間を利用して戸車装置１の他の構成物を効率よく配置することができる。そして、この他の構成物を内部に効率よく配置可能な外枠体２の一端側の外端面２ｃを、戸車装置１を取り付けた戸体３０の側端面３１の下部を構成する戸体側端構成面２６としたので、他の構成物として、戸体３０に戸車装置１を取り付けた状態で操作可能な戸車４の戸車位置設定手段２８の操作部などを好適に配置することができる。すなわち、戸車装置１の構成物の効率良い配置を図ることができる。
【発明の効果】
【００１５】
本発明にあっては、戸車の上下設定位置にかかわらず戸車に付着したゴミをゴミ掻き取り部材によって外枠材の下方開口付近で掻き取ることができて、戸車装置内にゴミが溜まることを有効に防止することができる、という利点を有する。
【発明を実施するための最良の形態】
【００１６】
以下、本発明を添付図面に示す実施形態に基いて説明する。
【００１７】
本例の戸車装置１は、たとえば引戸となる戸体３０の両側端部の下部に取付けられ、装備された戸車４が引戸の設置面を走行するためのものである。引戸の設置面には戸車４を走行させる凹条の走行レールを敷設する場合もあるが、この場合には特に引戸の設置面に埃やゴミが溜まり易いのであり、この埃やゴミは引戸の設置面を転動する戸車４に巻き込まれるように付着するのであるが、本例の戸車装置１では上記戸車４に付着したゴミが装置１内部に溜まらないようにする工夫が施されている。
【００１８】
詳しくは、戸車装置１は、図１及び図２のように、戸体３０の下端部に固定する下方に開口せる外枠体２と、外枠体２の内部に戸車位置設定手段２８を介して取り付けた内枠体３と、内枠体３に枢支されてその下端を外枠体２の下方開口２ａから突出させた戸車４と、内枠体３に装着されて戸車４に付着したゴミを掻き取るためのゴミ掻き取り部材５とが備えられている。
【００１９】
外枠体２は戸車装置１の外殻を構成する樹脂製の前後に薄い薄型ケースである。外枠体２の内部には下方に開口する中空空間である内枠体収納空間７が設けられており、外枠体２の上部には戸体３０に固着する固定ネジ８を挿入する固定ネジ挿入孔９が左右に亙って貫通している。ここで、上記左右方向はいわゆる戸車装置１による戸体３０の移動方向であり、前後方向は上記左右方向と同一水平面内で直交する方向である。なお、固定ネジ挿入孔９は外枠体２の左端面２ｄ側の開口に固定ネジ８の頭部を収めるザグリ９ａが形成されている。内枠体収納空間７の上部には上下位置調節ビス１０が左右に亙って回転自在に架設されており、上下位置調節ビス１０には矩形板状の可動片１１が螺合されている。可動片１１はその両端が外枠体２の前後面２ｂ，２ｃに設けた矩形状の窓孔１２に係合される。しかして、外枠体２の左端面２ｄに露出した上下位置調節ビス１０の頭部を工具で回転させると、可動片１１が上下位置調節ビス１０に沿って窓孔１２内で左右に移動するようになっている。また、外枠体２の左下端部には前面２ｂと後面２ｃとの間に枢支軸１３が架設されている。この枢支軸１３は後述のように内枠体３を枢支するものであって力が集中する所であるから、枢支軸１３を支持する外枠体２の左下端部の前面２ｂ及び後面２ｃの部分には断面Ｕ字状の金属製の補強材１４が下方から被着されて補強がされている。また、外枠体２の左下端部には前後位置調節ギア１５が装着されている。
【００２０】
内枠体３は前後に対向する前面壁３ａと後面壁３ｂの各左端同士を連結壁３ｃで連結させて成る断面略コ字状の金属製の枠体である。この内枠体３の右端域には右方及び下方に突出するように戸車４が配置されている。戸車４は一対の前面壁３ａと後面壁３ｂとの間に架設した回転軸１６に枢支されて、略鉛直面内で回転自在にされている。また、内枠体３の左下端部には外枠体２に設けた枢支軸１３を挿入するための枢支孔１７が穿設されている。また、内枠体３の上部には可動片１１を係合保持する係合溝１８が凹設されている。また、内枠体３には戸車４に制動をかける制動子１９を備えている。この制動子１９は、戸車４による走行が停止した時は戸車４の外周面４ａに弾接して回転制動力を与えると共に、戸車４による走行時には戸車４の外周面４ａに非弾接状態となって停止時の回転制動力を解除できるようなものであって、戸体３０の戻り動作防止の役割を果たしている。
【００２１】
更に、内枠体３にはその下端に上述のゴミ掻き取り部材５が装着されている。ゴミ掻き取り部材５は、図３のようなもので扁平な掻き取り板２０から上方に一対の係止爪２１を突設して成り、一対の係止爪２１を内枠体３の前面壁３ａ及び後面壁３ｂの下端部に穿設した穴状の各引掛部２２に係止させることで、内枠体３の開口せる下端部を掻き取り板２０が塞ぐようにして装着される。詳しくは、ゴミ掻き取り部材５は、その掻き取り板２０が内枠体３の下端部の左端側から連続されてその右端が戸車４の下部の外周面４ａに微小な間隙ｓを介して隣接するようにして、内枠体３に装着されている。このように掻き取り板２０の右端が戸車４の下部の外周面４ａに微小な間隙ｓを介して隣接されており、したがって、掻き取り板２０は戸車４の回転を阻害させないようにしつつ、戸車４の外周面４ａに付着した埃やごみを効率良く掻き取ることができるようにされている。なお、本例の戸車４の外周面４ａは断面凸状に形成されており、これに近接させる掻き取り板２０の右端は戸車４の外周面４ａの凸形状に合わせて沿わせることができる平面視凹状２０ａに形成されている。
【００２２】
この内枠体３は内枠体収納空間７に収めるように外枠体２に取り付けられる。詳しくは、内枠体３は、左下端部の枢支孔１７が枢支軸１３を枢支すると共に上部の係合溝１８が可動片１１を係合することで、外枠体２に取り付けられる。このときには、内枠体３に備わる戸車４はその下端が外枠体２の下方開口２ａの右部域から下方に突出された状態となり、この戸車４の下端が引戸の設置面に転動可能とされる。
【００２３】
内枠体３は、図１のように上下位置可変手段６によって外枠体２に対する上下位置を自在に設定できるようにされており、内枠体３と共に戸車４の上下位置を設定して施工現場の違いによっても戸車４の下端が引戸の設置面に良好に接地可能にしてある。すなわち、上下位置調節ビス１０をその軸周りに工具などで回転操作すると（矢印ａ）、回転した上下位置調節ビス１０に沿って可動片１１が移動し（矢印ｂ）、この移動した可動片１１によると係合保持された係合溝１８の左右位置を設定することとなり、この係合溝１８の設定位置を基準に内枠体３は外枠体２への枢支位置である左下端部を中心にして上下に回動するのであって、内枠体３に備わる戸車４の上下位置を設定変化させるのである（矢印ｃ）。なお、戸車４の上下位置は上述のように可動片１１の位置に拠るものであるが、外枠体２の前面２ｂ及び後面２ｃの窓孔１２縁には目盛り２３が刻設されており、窓孔１２から露出する可動片１１を上記目盛り２３を基準にして左右に移動させることで戸車４の正確な上下位置設定が可能にされている。
【００２４】
ここで、戸車４は内枠体３の回動端側である右端域に配置されているので、上下する戸車４の回転軌跡径を大きく採ることが可能にされている。上下する戸車４の回転軌跡径を大きくしたことで、左右方向の位置ズレを少なくして戸車４の上下動を行わせることができるようになる。詳しくは、本例の戸車４は上記外枠体２の下方開口２ａの右端縁に対してその上下動を妨げない程度に近接させているので、外枠体２の下方開口２ａの右端縁と戸車４との隙間を小さくした状態で戸車４の上下動を行わせることが可能にされている。しかして、この外枠体２の下方開口２ａの右端縁と戸車４との隙間から内枠体収納空間７にゴミが侵入する恐れも低減されている。
【００２５】
また、内枠体３は前後位置可変手段２７によって外枠体２に対する前後位置を自在に設定できるようにされている。前後位置可変手段２７は上記上下位置可変手段６と共に戸車位置設定手段２８を構成する。前後位置可変手段２７は、内枠体３の左下端部には断面コ字状の金属製の介在部材２４が左方側から覆うように配置されており、介在部材２４と前後位置調節ギア１５との間に前後位置調節ギア１５の回転運動を介在部材２４の前後方向への移動に代えるカム機構２５が設けられている。しかして、前後位置調節ギア１５を工具で回転させると介在部材２４の前後位置が変化し、この前後位置が変化した介在部材２４に応じて内枠体３の前後位置が変更されるのであり、内枠体３と共に戸車４の前後位置が設定可能にされている。なお、外枠体２の左端面２ｃにおける前後位置調節ギア１５の周囲には目盛り２９が刻設されており、前後位置調節ギア１５を上記目盛り２９を基準にして回転操作することで戸車４の正確な前後位置設定が可能にされている。
【００２６】
上記のように本例の戸車装置１にあっては、ゴミ掻き取り部材５が戸車４の回転を阻害しないように内枠体３の下端に装着されており、戸体３０の設置面に戸車４が転動した際に設置面に溜まった埃やゴミを転動する戸車４が巻き込んでしまっても、ゴミ掻き取り部材５によって転動する戸車４に付着したゴミを掻き取ることが可能にされている。
【００２７】
ここで、ゴミ掻き取り部材５は戸車４と同様に内枠体３に装着されているので、戸車４の上下位置を変化させるべく上下位置可変手段６によって内枠体３の上下位置を設定変更した際にも戸車４と一緒にその上下位置が変化されるのであり、つまり戸車４とゴミ掻き取り部材５との相対位置は変化することが無く、戸車４の上下位置にかかわらずゴミ掻き取り部材５による戸車４に付着したゴミの掻き取り性能を維持することが可能にされている。
【００２８】
なお、ゴミ掻き取り部材５はその掻き取り板２０の右端を、設置面への接地箇所となる下端よりやや上方位置である戸車４の下部の外周面４ａに対して微小な間隙ｓを介して隣接させている。詳しくは、内枠体３はその上下設定位置にかかわらずやや右下がり状に外枠体２に取り付けられることとなり、掻き取り板２０はその右端をやや上方から戸車４の下部の外周面４ａに近接させている。ここで、ゴミ掻き取り部材５は内枠体３における戸車４よりもやや左側に装着されているから、外枠体２に対して内枠体３が枢支軸１３を中心に回動してその上下位置が変化しても、ゴミ掻き取り部材５の上下移動幅は戸車４よりは小さくなっている。そして、本例の戸車装置１にあってゴミ掻き取り部材５は内枠体３の上下位置にかかわらず外枠体２の下方開口２ａ付近に維持されるようになっており、つまり、ゴミ掻き取り部材５は外枠体２の下方開口２ａをその左端側から連続して塞ぐように位置されるのである。
【００２９】
したがって、本例のゴミ掻き取り部材５によると、内枠体３の上下位置にかかわらず、外枠体２の下方開口２ａ付近で戸車４からゴミを掻き取ることが可能にされている。詳しくは、戸車４に付着したゴミは、戸車４が右回り（時計回り）に回転した場合には掻き取り板２０の下面で掻き取られ、戸車４が左回り（反時計回り）に回転した場合には掻き取り板２０の上面で掻き取られることとなる。前者の場合も後者の場合も、ゴミ掻き取り部材５で掻き取られたゴミは、ゴミ掻き取り部材５から戸体３０の設置面に落下し、装置１内部にゴミが集積することは防止されている。詳しくは、前者の場合では掻き取り板２０の下面で掻き取られたゴミはそのまま戸体３０の設置面に落下する。後者の場合では掻き取り板２０の上面で掻き取られたゴミは一旦掻き取り板２０の上面に載ることとなるが、上記のように掻き取り板２０は戸車４の下部の外周面４ａに対して微小な間隙ｓを介して隣接する側端が下方に位置するように傾斜しているから、掻き取り板２０の上面に載ったゴミはその自重で掻き取り板２０から微小な間隙ｓを経て設置面に転がり落ちることとなる。
【００３０】
なお、本例の外枠体２の下方開口２ａの左部域は上記補強材１４の底面１４ａによって閉塞されるようになっており、ゴミ掻き取り部材５の左端域は内枠体収納空間７における補強材１４の底面１４ａの上方位置に内枠体３の上下動を妨げない程度の隙間Ｓを介して位置するようになっている。つまり、本例の外枠体２の下方開口２ａは、図２（ｂ）のように、戸車４、ゴミ掻き取り部材５及び補強材１４の底面１４ａによって、ほぼ塞がれるようにされており、ゴミの内枠体収納空間７への侵入が極力起こらないようにされている。
【００３１】
すなわち、本例の戸車装置１にあっては、ゴミ掻き取り部材５によって戸車４の上下設定位置にかかわらず戸車４に付着したゴミを外枠体２の下方開口２ａ付近で掻き取らせ、上記掻き取ったゴミも戸車装置１の内部に侵入させないようにできたものであり、戸車装置１内にゴミが溜まることが有効に防止されているのである。
【００３２】
ところで、本例の戸車装置１は、枢支軸１３で枢支される外枠体２及び内枠体３の一端側を、戸体３０の側端側に位置させる側端側構成部１ａとしている。つまり、戸車装置１を戸体３０に取り付けた際には、側端側構成部１ａが戸体３０の側端側に位置するようになる。なお、図１では戸体３０の左端側に戸車装置１を取り付けた状態を示している。この図において戸体３０を左側に移動させた場合には、戸車４の移動方向手前側にゴミ掻き取り部材５が位置することとなるが、このゴミ掻き取り部材５は上記のように内枠体２の一端側から連続させてその一端を戸車４の下部の外周面４ａに微小な間隙ｓを介して隣接させており、つまりゴミ掻き取り部材５で外枠材２の下方開口２ａのうち戸車４の移動方向手前側の部位を略塞ぐようにできたため、外枠材２の下方開口２ａからゴミが装置１内部に浸入する恐れが効果的に小さくされている。更に言うと、図１において戸体３０を右側に移動させた場合には戸車４は右回り（時計回り）に回転することとなるが、この場合には上記戸車４の下部の外周面４ａに微小な間隙ｓを介して一端が隣接するゴミ掻き取り部材５によって戸車４に付着したゴミを効果的に掻き取ることができる。
【００３３】
また、本例の戸車装置１にあっては装置構成物の効率よい配置が図られているという利点も有している。外枠体２に収容する内枠体３はその左端が枢支軸１３で枢支されていて右端部に戸車４が装着されている。したがって、上記外枠体２内の左端側の内部部位は比較的大きい構成物である戸車４が位置する右端側に比べて空隙の多い内枠体収納空間７にすることができたものである。そして、本例ではこの空隙の多くできる内枠体収納空間７の左端域を利用して制動子１９や介在部材２４などを配置しているのであり、制動子１９や介在部材２４などの装置構成物の配置の効率性が高められているのである。
【００３４】
更に言うと、本例の戸車装置１にあって、外枠体２の左端面２ｄは戸車装置１を取り付けた戸体３０の側端面３１の下部を構成する戸体側端構成面２６とされている。内枠体収納空間７の左端域に配置した介在部材２４は外枠体２の左端面２ｄに臨む前後位置調節ギア１５に連結されて前後位置可変手段２７を構成するのであり、つまり前後位置可変手段２７をまとめて外枠体２の左端下部に配置できると共に、操作する前後位置調節ギア１５を戸体側端構成面２６に臨ませて配置できるから、戸車装置１を戸体３０に取り付けた状態で前後位置可変手段２７を操作可能な構造に容易にできたものである。なお、本例の戸体側端構成面２６には固定ネジ９や上下位置調節ビス１０の操作部も臨んで配置されており、戸車装置１を戸体３０に取り付けた状態でこれらの操作が可能とされている。
【図面の簡単な説明】
【００３５】
【図１】本発明の実施の形態の例の戸車装置の概略の正面断面図である。
【図２】同上の戸車装置であり、（ａ）は正面図であり、（ｂ）は下面図であり、（ｃ）は左側面図であり、（ｄ）は右側面図である。
【図３】同上のゴミ掻き取り部材であり、（ａ）は正面図であり、（ｂ）は上面図であり、（ｃ）は右側面図である。
【符号の説明】
【００３６】
１  戸車装置
２  外枠体
２ａ  下方開口
３  内枠体
４  戸車
４ａ  外周面
５  ゴミ掻き取り部材
６  上下位置可変手段
ｓ  微小な間隙
【図１】
2008291573.tif 000003
【図２】
2008291573.tif 000004
【図３】
2008291573.tif 000005